Podtech/llm-jp-corpus-v4-ja_patent huggingface dataset:
(57)【要約】      （修正有）【課題】夏期の熱気や冬期の凍結などの季節による弊害を取り除き、車への装着が簡単で、強固に装着できるフロントガラスの保護カバーを提供する。【解決手段】主体遮蔽板Ａは、表面にアルミ箔を貼着した布地の裏面側に、薄い発泡板を接着してなる。主体遮蔽板Ａは、左右の両端部に屈曲自在な継ぎ目Ｈを介して袖板Ｂを接続し、左右のフロントピラーとドアの間に袖板Ｂを挿入して止着し、フロントガラス全面を覆う。【選択図】図１
0003174530.tif 000002
【実用新案登録請求の範囲】
【請求項１】
表面にアルミ箔１ａを貼着した布地１ｂの裏面側に、合成樹脂又は合成ゴム等の、薄い発泡板１ｃを接着して成る主体遮蔽板Ａは、クルマのフロントガラスの全面を覆うようにして成る、フロントガラスの保護カバー装置。
【請求項２】
前記主体遮蔽板Ａの左右の両端部に、屈曲自在な継ぎ目Ｈ、Ｈを介して袖板Ｂ、Ｂを接続し、左右のフロントピラーとドアー間に、前記袖板Ｂ、Ｂを挿入し、止着するようにして成る、フロントガラスの保護カバー装置。
【考案の詳細な説明】
【考案の詳細な説明】
【技術分野】
【０００１】  本考案は駐車時において、夏期は熱気が室内に籠るので、熱気排除のための諸作業を必要とし、また冬期は降雪や霜による凍結の弊害がある。こうした季節による弊害を取り除くために、フロントガラス面を覆うための、新規な保護カバーを提供するものであって、この装置はクルマへの装着が簡単で、且つ強固に装着出来るように成してあり、強風による脱落や、盗難による被害の受け難い、フロントガラスの保護カバーの提供に関する。
【背景技術】
【０００２】  夏期は出発前に車内の熱気を排除するために、無駄なアイドリングを行って、クーラーを起動していたり、またドアーを開放して、風を取り込む処置を施していた。また冬期はフロントガラスに付着した、雪や霜を掻き取るための道具を必要とし、時には窓ガラスに水を吹き付けて、流し落とす等をして、被害を取り除いている現状である。【０００３】  こうした問題を解決する目的から、ホームセンター等で見受けられるものとしては、フロントガラスの内側に、織り目の荒い布製の遮蔽板を張り付ける目的で、車の内側から吸盤を用いて、フロントガラスの内面に遮蔽板を止着するように成すものが、販売されているが、ガラスと吸盤に挟まれている遮蔽板では、吸盤内の真空状態状が保てず、遮蔽板が脱落する等の不具合が生じているから、使用者に長く利用されることが無くなった。
【考案の開示】
【考案が解決しようとする課題】
【０００４】  しかしながら、フロントガラスの内面側に遮蔽板を付設するだけでは、夏期の室温防止には役立つが、冬期の雪や霜の貼り着きを防止するためには、遮蔽板をフロントガラスの外面側を、覆うような状態に付設する必要があり、またクルマに特別の細工を施すことも無く、遮蔽板の着脱が容易で、かつ短時間で作業が完了するように成す必要がある。
【課題を解決するための手段】
【０００５】  本考案に就いて、図面を参照しながら説明すると、クルマの左右のフロントピラー間に亘る幅員を有し、フロントガラスの高さの寸法よりさらに伸長させ、ワイパーの突出部分を覆うのみか、更に、エンジンルームより空気の噴き出る通孔部位も塞ぎ得るように、広く構成した主体遮蔽板Ａと、この主体遮蔽板Ａの両側端部分に、後方に向けてほぼ直角状、に袖板Ｂ、Ｂを設ける、またこの夫々の袖板Ｂ、Ｂの内端側である主体遮蔽板Ａとの継ぎ目Ｈ、Ｈ部分で回動できるように成してある。【０００６】  主体遮蔽板Ａの構成は、布地１ｂは表面にアルミ箔１ａを貼着した、消防服の布地に似たものを使用し、この布地１ｂの裏面側には、合成樹脂又は合成ゴム等の薄い発泡板１ｃを接着してある。この発泡板１ｃは、密度の高い発泡組織を有し、且つ柔軟性に富み、折り畳んでも割れ難いものを選定して用いている。【０００７】  袖板Ｂは、主体遮蔽板Ａの組織と同一であっても良いが、使用時には、フロントピラーに強く押し付けられる作用を加え続けられるものであるから、主体遮蔽板Ａの発泡板１ｃのものより、硬い構造と成すことによって皺ができず、主体遮蔽板Ａに対して、袖板Ｂの角度が保持出来るから、着脱を繰り返して利用しても、装着操作がきわめて容易となる。【０００８】  即ち、継ぎ目Ｈ、Ｈは、主体遮蔽板Ａと袖板Ｂの、布地１ｂ、１ｂどうしを連結した箇所であり、且つ、両板ＡＢがほぼ直角状を保持すると同時に、連結部分で回動可能な接続となっている。このように製作された保護カバーをクルマに装着する時は、クルマの前ドアーを開く事によって、前ドアーの前端面とフロントピラーとの間に隙間が生じる、この隙間は袖板Ｂ、Ｂを挿し込む事が充分可能である間隔を有する。【０００９】  従って左右の袖板Ｂ、Ｂを、対向するフロントピラーと前ドアーの前端部との左右の隙間に差し込み、主体遮蔽板Ａをフロントガラス面に押し当てながら、前ドアーを閉めると、袖板Ｂ、Ｂは前ドアーの前端部によってフロントピラーに強く押し付けられ、前ドアーを閉めた儘の状態では、袖板Ｂを引き抜くことが困難な程に、強力に締め付けられる。
【考案の効果】
【００１０】  以上、詳細に説明したところから明らかなように、本考案の保護カバーの表面が、アルミ箔１ａで覆われているから、太陽光を反射し、夏期の駐車時に、車内に熱気の籠る状態を極力減少させる。また、主体遮蔽板Ａの裏面には、合成樹脂又は合成ゴムの発泡板１ｃを貼り付けけて在るから、冬期間にフロントガラスに降雪や霜の付着することを防止するばかりか、晩秋に落葉する枯葉の付着も防止し、さらに、本考案の保護カバーの取り付け操作には、左右の袖板Ｂ、Ｂを前ドアーとフロントピラーで挟み付けて止着する方式であるから、保護カバーの取り付けが強力な上、簡単で素早く出来るなど、数々の優れた効果を奏するものである。
【図面の簡単な説明】
【００１１】
【図１】は本考案の斜視図である。
【図２】は本考案の正面図である。
【図３】は［図２］おけるＸ−Ｘ線での拡大断面図である。
【符号の説明】Ａ…主体遮蔽板
Ｂ…袖板
Ｈ…継ぎ目
１ａ…アルミ箔
１ｂ…布地
１ｃ…発泡板
【図１】
0003174530.tif 000003
【図２】
0003174530.tif 000004
【図３】
0003174530.tif 000005
【手続補正書】
【提出日】平成24年1月19日(2012.1.19)
【手続補正１】
【補正対象書類名】実用新案登録請求の範囲
【補正対象項目名】全文
【補正方法】変更
【補正の内容】
【実用新案登録請求の範囲】
【請求項１】
表面にアルミ箔１ａを貼着した布地１ｂの裏面側に、合成樹脂又は合成ゴム等の、薄い発泡板１ｃを接着して成る主体遮蔽板Ａは、クルマのフロントガラスの全面を覆うようにして成る、フロントガラスの保護カバー装置。
【請求項２】
前記主体遮蔽板Ａの左右の両端部に、屈曲自在な継ぎ目Ｈ、Ｈを介して袖板Ｂ、Ｂを接続し、左右のフロントピラーとドアー間に、前記袖板Ｂ、Ｂを挿入し、止着するようにして成る、請求項１に記載のフロントガラスの保護カバー装置。
(57)【要約】      （修正有）【課題】柔軟な緩衝力を有し、様々な厚みのものを製造可能なクッションを提供する。【解決手段】クッション本体は、その６面をスポンジ袋により外装され、クッション本体内部に、スポンジ袋の上下２面を支持する支柱体が設けられる。支柱体は、コイルスプリングを内装した支柱筒スポンジによって構成され、ビニール板の貫通孔を通して分散設置されている。【選択図】図−２
0003174523.tif 000002
【実用新案登録請求の範囲】
【請求項１】
支柱体の適切なる設置数の分散配置により体重の平均的な分散支持を計り構造体の構成によって内部に多くの空間をつくりこの空間体はスポンジ材緩衝力をより柔軟にし更にスプリング鋼材の微細な線径になるスプリングの極めて柔軟な緩衝力との相乗効果よって強力なクッション力を具備したクッションの開発である。
【請求項２】
クッションはその使用目的別に厚さの厚いクッションから薄いものまで製造が可能であり、厚いクッションの場合はビニール板の設置数を２枚から３枚と増設するのみで他の構造的変化を一切必要とせず厚さの自由なクッションが製造可能である。
【考案の詳細な説明】
【考案の概要】
【考案の解決しようとする課題】
【０００１】従来のクッションは構成材料としてスポンジのみの単体でつくられたものが多く従ってクッションとしての柔軟な緩衝力が少なく所謂るクッション力の不足な点が欠点であった。長時間クッションを使用してもお尻りの痛覚が少ないクッションは皆無であった。
【考案を解決するための手段】
【０００２】課題解決のためクッション本体▲１▼の外側６面をスポンジ板によって袋状に構成した座面スポンジ袋▲２▼の内部は両端にキャップスポンジ▲６▼を嵌めたコイルスプリング▲５▼を内装した支柱筒スポンジ▲４▼で構成された支柱体▲３▼はビニール板▲７▼の貫通孔を通して設置されるビニール板▲７▼は支柱体▲３▼の中間に水平に設置され支柱体▲３▼はビニール板▲７▼のこの貫通孔を通して分散配置されるビニール板▲７▼の貫通孔部の上下にはビニール板支持スポンジ筒▲８▼が支柱筒スポンジ筒▲４▼を内包する形で上下の座面スポンジ袋▲２▼とすきまなく嵌め込まれて支柱体▲３▼を安定設置させている適切な設置本数による支柱体の構成によってクッションの内部に多くの空間をつくりこの空間はスポンジ材の緩衝力と調和し更にコイルスプリングの微細な線径によってつくられるスプリングの極めて柔軟な緩衝力との相乗効果によって強力なクッション力を具備したクッションを開発したのである。
【考案の効果】
【０００３】本考案ではクッションとしての厚さの厚いものから極めて薄いものまで製造が可能であり、極めて厚さの薄いクッションに於ても構造体の内部に多くの空間体をつくりスポンジ材の緩衝力と調和してより柔軟な緩衝力をつくり、支柱体の分散配置によって体重の分散支持を計り、更にコイルスプリングの微細な線径によるスプリングの極めて柔軟な緩衝力との相乗効果によって強力なクッション力を具備したクッションが開発されたのである、又使用目的により極めて厚いクッションを必要とする場合はビニール板▲７▼の設置数を２枚乃至３枚と増設するのみで他の構造的な変化を必要とせず、厚さの自在なクッションを製造可能なのある。
【図面の簡単な説明】
【０００４】
【図−１】図−１はクッション本体▲１▼の平面図である座面スポンジ袋▲２▼の一部分をカットして支柱体▲３▼の分散配置を示す。
【図−２】図−２はＡ−Ａ矢視断面拡大図である
【符号の説明】
【０００５】▲１▼クッション本体
▲２▼座面スポンジ袋
▲３▼支柱体
▲４▼支柱筒スポンジ
▲５▼コイルスプリング
▲６▼キャップスポンジ
▲７▼ビニール板
▲８▼ビニール板支持スポンジ筒
▲９▼レザーカバー（ファスナー付き）
【図−１】
0003174523.tif 000003
【図−２】
0003174523.tif 000004
【手続補正書】
【提出日】平成23年12月26日(2011.12.26)
【手続補正１】
【補正対象書類名】実用新案登録請求の範囲
【補正対象項目名】全文
【補正方法】変更
【補正の内容】
【実用新案登録請求の範囲】
【請求項１】
６面を座面スポンジ袋▲２▼により外装したクッション本体▲１▼の内部は適切な設置数の支柱体▲３▼がスポンジ袋▲２▼中の広い面積を占める上下２面を支持して設置され、この支柱体▲３▼はスプリング鋼による微細な線径のコイルスプリング▲５▼を内装した支柱筒スポンジ▲４▼によって構成され、ビニール板▲７▼の貫通孔を通して分散設置されているこの構造体は内部に多くの空間をつくり、この空間体と支柱筒スポンジ▲４▼とコイルスプリング▲５▼の、それぞれの緩衝力の相乗効果によって強力なクッション力を具備した椅子用のコンパクトなクッションである
【請求項２】
本考案のクッションは厚さの厚いクッションから薄いもの迄製造が可能であり、厚いクッションの場合はビニール板▲７▼の設置数を２枚から３枚と増設するのみで他の構造的変化を一切必要とせず厚さの自由なクッションが製造可能であり、強力なクッション力の具備を特微とする請求項１記載のクッションである
(57)【要約】      （修正有）【課題】前立腺を圧迫しない低反発クッションを提供する。【解決手段】後方部分は中を空けた半円形とし、前方部分は後方の半円形の左右端を延長させた正方形の縁を設け、Ｕ字型とする。【選択図】図−１
0003174521.tif 000002
【実用新案登録請求の範囲】
【請求項１】
前空き後方半円形の、中身ポリウレタン製、カバ綿製の、Ｕ字型低反発クッション（幅４０ｃｍ、前後３０ｃｍ、高さ６ｃｍ）。
【考案の詳細な説明】
【技術分野】本考案は、前を空け、後方を半円型とした、Ｕ字型座クッションに関するものである。
【背景技術】既に低反発円座クッションは公知で商品化されているところであるが、これに前を空ける形に改良した。
【解決のための考案の概要】
上記低反発クッションは、座骨への衝撃を和らげるタイプとして商品化されているが、上記円座クッションは、長時間利用した場合、前立腺を長時間圧迫することになる。
前立腺圧迫要因を取り除くため、前を空けたＵ字型とし、快適な利用を可能にした。
【特長及び効果】
後方を半円形とすることで、上記低反発円座クッションの座骨への衝撃を和らげる効果を維持しながら、前を空けた形にして前立腺圧迫を無くして、長時間のより快適な利用に資することとなる。
【図−１】
0003174521.tif 000003
【図−２】
0003174521.tif 000004
【図−３】
0003174521.tif 000005
【手続補正書】
【提出日】平成24年1月4日(2012.1.4)
【手続補正１】
【補正対象書類名】実用新案登録請求の範囲
【補正対象項目名】全文
【補正方法】変更
【補正の内容】
【実用新案登録請求の範囲】
【請求項１】
クッションの形は、後方部分については中を空けた半円形とし、前方部分については後方半円形の左右の端を延長させた正方形の縁を左右に設けて縁と縁の間を空けたＵ字型とする。
製法は、ポリウレタン製でカバーは綿製とする。
大きさは、左右の幅４０ｃｍ、前後の長さを３３ｃｍ、そして高さを６ｃｍとする。
以上の形、製法、大きさのＵ字型低反発クッション。
【手続補正２】
【補正対象書類名】明細書
【補正対象項目名】全文
【補正方法】変更
【補正の内容】
【考案の詳細な説明】
【技術分野】
【０００１】本考案は、前を空け、後方を半円型とした、Ｕ字型座クッションに関するものである。
【背景技術】
【０００２】既に低反発円座クッションは公知で商品化されているところであるが、これに前を空ける形に改良した。
【解決のための考案の概要】
【０００３】上記低反発円座クッションは、座骨への衝撃を和らげるタイプとして商品化されているが、同上記クッションは、長時間利用した場合、前立腺を長時間圧迫することになる。
前立腺圧迫要因を取り除くため、前を空けたＵ字型とし、快適な利用を可能にした。
【特長及び効果】
【０００４】後方を中を空けた半円形とし、前方左右に、後半円形を延長とした正方形の縁を付けることで、上記低反発円座クッションの座骨への衝撃を和らげる効果を維持しながら、前方左右の縁と縁との間を空けた形にして、前立腺圧迫を無くして、長時間のより快適な利用に資することになる。
【図面の簡単な説明】
【０００５】
【図１】は、本考案に係るＵ字型クッションの平面図である。
【図２】は、同上クッションの後面図である。
【図３】は、同上クッションの前面図である。
(57)【要約】      （修正有）【課題】ヘルメット自体はもちろん、ヘルメットがぶつかる対処物も傷つけず、更に、雨がつばの前にたれることを防止し、使用者の視界を確保出来るプロテクターを提供する。【解決手段】ゴム製プロテクターＡを、ヘルメットＢのつばの先端部分を覆うように取り付ける。ゴム製プロテクターは、ヘルメットのつばと壁や突起物などの対象物との間に挟まれることになるので、ヘルメットのつばが、直接、対象物に触れることがなくなる。更に、ゴム製プロテクターの上面部分を高く設計することで、雨がヘルメットにあたって、つばの前に流れようとする水流をせき止め、横に排出する。【選択図】図１
0003174522.tif 000002
【実用新案登録請求の範囲】
【請求項１】
ヘルメットにおいて、つばの先端に取り付けるプロテクター。
【考案の詳細な説明】
【考案の明細な説明】
【産業上の利用分野】
【０００１】今考案は、ヘルメットに関するものである。
【背景技術】
【０００２】ヘルメットにおいて、使用者は使用環境によって壁面や突起物に接触させることが多い。
特に、足場から壁面までの距離が少ないところや狭いところはもちろん、ヘルメット装着自体に不慣れな場合、距離感を見誤ってヘルメットをぶつけてしまうのである。
また、つばが斗出しているタイプのヘルメットは特に、つばをぶつけてしまうことが多く、固い壁面などではつばが傷ついてしまうし、やわらかい壁面では、壁面を傷つけてしまうなど、扱いに気を配らなければならなかった。
また、雨が降った場合、ヘルメットを雨粒がつたって、つばの先からたれることで、視界をさえぎることも多く、使用者の作業を妨げることになり、不便だった。
【発明が解決しようとする課題】
【０００３】本考案が解決しようとする課題は、ヘルメットが壁や突起物にぶつかっても、ヘルメットはもちろん対処物も傷つけず、更に、雨がつばの前にたれることを防止し、使用者の視界を確保することである。
【課題を解決するための手段】
【０００４】ゴム製プロテクター（図２−Ａ）をヘルメット（図２−Ｂ）のつばに取り付ける。
【作用】
【０００５】ゴム製プロテクター（図２−Ａ）は、ヘルメットのつばの先端部分を覆うように取り付ける。
ゴム製プロテクター（図２−Ａ）は、ヘルメットのつばと壁や突起物などの対象物との間に挟まれることになるので、ヘルメットのつばが、直接、対象物に触れることがなくなる。
更に、ゴム製プロテクターの上面部分（図２−Ｃ）を高く設計することで、雨がヘルメットにあたって、つばの前に流れようとする水流をせき止め、横に排出する。
【実施例】
【０００６】なお、ゴム製プロテクターの素材は、ゴムに限らず、シリコンやそのたエラストマーなどの柔軟な素材でも同様の効果が得られる。
また、ゴム製プロテクターをつば以外のヘルメット周囲に設置することで、より効果的にヘルメットと対象物を保護することができる。
【発明の効果】
【０００７】本考案を実施することにより、ヘルメットがぶつかる対象物と直接触れず緩衝材として機能するため、ヘルメットが傷つくことがなく、更に対象物も傷つけない。
また、雨が横に排出されるために、使用者の視界を遮ることがなく、作業を妨げない。
傷つきやすいヘルメットのつばがいつまでも綺麗な状態に保てるばかりではなく、雨がつばを伝って視界を遮らないので、作業を妨げず、非常に便利である。
【図面の簡単な説明】
【図１】ヘルメットのつばにゴム製プロテクターを取り付けた時の斜視図  Ａ  ゴム製プロテクター  Ｂ  ヘルメット
【図２】ヘルメットのつばにゴム製プロテクターを取り付けた時の断面図  Ａ  ゴム製プロテクター  Ｂ  ヘルメット  Ｃ  ゴム製プロテクターの上面部分
【図３】雨の流れを矢印であらわした図
【図１】
0003174522.tif 000003
【図２】
0003174522.tif 000004
【図３】
0003174522.tif 000005
【手続補正書】
【提出日】平成24年1月4日(2012.1.4)
【手続補正１】
【補正対象書類名】実用新案登録請求の範囲
【補正対象項目名】全文
【補正方法】変更
【補正の内容】
【実用新案登録請求の範囲】
【請求項１】
ヘルメットのつばが壁などの対象物にぶつかっても、ヘルメットはもちろん対処物も傷つけず、更に、雨がつばの前にたれることを防止し、使用者の視界を確保する、ヘルメットのつばの先端につばを覆うように取り付ける柔軟な素材でできたプロテクター。
(57)【要約】【構成】  座板の周縁に脚筒を一体成形した入浴用椅子である。前記座板と前記脚筒の連設角部に切り欠きを設け、この切り欠きは前記座板の略中心部にまで達するようにした。【効果】  使用者がこの切り欠き内に手を入れて手の平を幅方向に移動しても親指及び小指は前記座板の裏側に侵入する結果、手の平を前記切り欠き内で幅方向に移動しやすい。前記切り欠きは前記座板の略中心部にまでしか達していないため、尻部を座板に違和感なく載置できる。使用者はこの椅子に違和感なく座った状態で、切り欠き内に手を入れ手の平全体によって肛門及びその周囲を洗いやすい。【選択図】    図１
0003174478.tif 000002
【実用新案登録請求の範囲】
【請求項１】
座板の周縁に脚筒を一体成形した入浴用椅子において、前記座板と前記脚筒の連設角部に切り欠きを設け、この切り欠きは前記座板の略中心部にまで達していることを特徴とする入浴用椅子。
【請求項２】
前記座板の表面がその中心に向かって湾曲凹状であることを特徴とする請求項１の入浴用椅子。
【請求項３】
前記座板及び前記脚筒における前記切り欠きの周縁断面が滴状であることを特徴とする請求項１又は請求項２の入浴用椅子。
【考案の詳細な説明】
【技術分野】
【０００１】
この考案は入浴用椅子に関し、特に、使用者が座った状態で肛門及びその周囲を洗う際に使用されるものである。
【背景技術】
【０００２】
従来におけるこの種の入浴用椅子Pは、図４に示すように、脚筒５０の表面に洗浄空間５１を介して一対の座筒５２，５２が一体形成されたものであり、使用者はこの一対の座筒５２，５２の表面に前記洗浄空間５１を跨ぐ状態で座り、この洗浄空間５１に手を侵入させ手の平で肛門及びその周囲を洗っていた。
【考案の開示】
【考案が解決しようとする課題】
【０００３】
しかしながら、かかる従来の入浴用椅子にあっては、前記座筒５２が筒状であり、前記洗浄空間５１の両側に垂直壁が存在したため、使用者がこの空間５１内で手の平を幅方向に移動した際に親指及び小指がこの垂直壁に衝突し、手の平を前記洗浄空間５１内で幅方向に移動しにくい結果、肛門及びその周囲を洗いにくいという不都合を有した。
【０００４】
この考案の課題はこの不都合を解消することである。
【課題を解決するための手段】
【０００５】
この課題を達成するために、この考案に係る入浴用椅子においては、座板の周縁に脚筒を一体成形した入浴用椅子において、前記座板と前記脚筒の連設角部に切り欠きを設け、この切り欠きは前記座板の略中心部にまで達するようにしたものである。
【０００６】
この場合、前記座板の表面がその中心に向かって湾曲凹状にすることができる。
【０００７】
また、前記座板及び前記脚筒における前記切り欠きの周縁断面を滴状にすることができる。
【考案の効果】
【０００８】
この考案に係る入浴用椅子は上記のように構成されているため、即ち、座板の周縁に脚筒を一体成形した入浴用椅子において、前記座板と前記脚筒の連設角部に切り欠きを設け、この切り欠きは前記座板の略中心部にまで達するようにしたため、使用者がこの切り欠き内に手を入れて手の平を幅方向に移動しても親指及び小指は前記座板の裏側に侵入する結果、手の平を前記切り欠き内で幅方向に移動しやすい。
【０００９】
さらに、前記切り欠きは前記座板の略中心部にまでしか達していないため、尻部を座板に違和感なく載置できる。
【００１０】
よって、この入浴用椅子を使用すれば、使用者はこの椅子に違和感なく座った状態で、切り欠き内に手を入れ手の平全体によって肛門及びその周囲を洗いやすいものである。
【００１１】
この場合、前記座板の表面がその中心に向かって湾曲凹状にすれば、座板の表面を尻の形に合わせることができるため、使用者は肛門及びその周囲を切り欠きに合わせて座りやすいものである。
【００１２】
また、前記座板及び前記脚筒における前記切り欠きの周縁断面を滴状にすれば、切り欠きの周縁部の剛性を向上させることができる結果、この周縁部は撓みにくくなるとともにその強度を向上させることができる。
【考案を実施するための最良の形態】
【００１３】
この考案に係る「入浴用椅子」は実施するにあたって以下の特徴を有する。
【００１４】
座板は円板状であり、脚筒は円筒状である。座板と脚筒は樹脂によって一体成形されている。
【００１５】
切り欠きは前記座板と前記脚筒の連設角部に設けられ、前記座板の略中心部にまで達している。
【００１６】
前記座板の表面はその中心に向かって湾曲凹状になっている。
【００１７】
前記座板及び前記脚筒における前記切り欠きの周縁断面は滴状である。
【実施例１】
【００１８】
以下、図面に基づいてこの考案の実施例を説明する。
【００１９】
図１はこの考案に係る入浴用椅子の前方斜視図、図２は同後方斜視図、図３は図１におけるIII―III線断面図である。
【００２０】
図１において、Ａは入浴用椅子、１０はその座板である。この座板１０は円板状をし、その表面は中心に向かって湾曲凹状をしている。２０は脚筒であり、前記座板１０の周縁に一体成形されている。この脚筒２０は円筒状であり、下方に向かって漸次拡径している。２１，２１は前記脚筒２０の外壁面に形成されて取手凹部、２２，２２は同下端し縁に形成された水抜切欠である。
【００２１】
３０は切り欠きであり、前記座板１０と前記脚筒２０の連設角部３１に形成されている。この切り欠き３０は前記座板１０の略中心部にまで達している。このため、使用者Sが座った場合、肛門及びその周囲が切り欠き３０内に露出する（図３を参照のこと）。なお、前記座板１０におけるこの切り欠き３０の後方はそのまま座板１０として機能する。また、前記脚筒２０において、この切り欠き３０は使用者Sの手が入る程度の広さを有している。
【００２２】
さらに、図３に示すように、前記座板１０及び前記脚筒２０における前記切り欠き３０の周縁断面３１滴状に形成されている。このため、この周縁部の剛性は向上する結果、撓むことなく強度が向上する。
【産業上の利用可能性】
【００２３】
この考案に係る入浴用椅子は、この入浴用椅子を使用すれば、使用者はこの椅子に違和感なく座った状態で、切り欠き内に手を入れ手の平全体によって肛門及びその周囲を洗いやすいものである。よって、利用可能性は極めて高いものである。
【図面の簡単な説明】
【００２４】
【図１】図１はこの考案に係る入浴用椅子の前方斜視図である。
【図２】図２は同後方斜視図である。
【図３】図３は図１におけるIII―III線断面図である。
【図４】図４は従来例の斜視図である。
【符号の説明】
【００２５】
A  …  入浴用椅子
S  …  使用者
１０  …  座板
２０  …  脚筒
２１  …  取手凹部
２２  …  水抜切欠
３０  …  切り欠き
３１  …  周縁断面
P  …  入浴用椅子（従来例）
５０  …  脚筒（従来例）
５１  …  洗浄空間（従来例）
５２  …  座筒（従来例）
【図１】
0003174478.tif 000003
【図２】
0003174478.tif 000004
【図３】
0003174478.tif 000005
【図４】
0003174478.tif 000006
(57)【要約】      （修正有）【課題】食器収容部を仕切りで区画せずとも、配膳時などに食器同士が滑って欠損、破損することや、食器でその収容部の載置面が傷つくこともなく、食器の大きさや形状が比較的自由に選択可能で食器による料理の演出が多彩で比較的容易に行える様に成した食膳を提供する。【解決手段】食器Ｄ、Ｄ１等の収容空間Ｓを区画する仕切りを有しない食膳１であって、該食膳１の食器載置面２上に表裏面に滑止め機能を有する滑止め緩衝マット３を着脱自在に敷設する。【選択図】図２
0003174460.tif 000002
【実用新案登録請求の範囲】
【請求項１】
食器の収容空間を区画する仕切りを有しない食膳であって、該食膳の食器載置面上に表裏面に滑止め機能を有する滑止め緩衝マットを着脱自在に敷設したことを特徴とする食膳。
【請求項２】
複数の異色の滑止め緩衝マットを交換可能に食器載置面上に敷設したことを特徴とする請求項１記載の食膳。
【考案の詳細な説明】
【技術分野】
【０００１】
本考案は、弁当箱、縁高、会席膳、盛器などの食膳に関する。
【背景技術】
【０００２】
従来、この種の食膳として、特許文献１にも開示されている様に、宴席、会席料理等に用いられる松花堂弁当箱が知られている。
この弁当箱は、図３に示す様に、方形状の縁高（箱型容器）ａの内方を十文字の仕切りｂにて４つに区画し、各区画ｃ内に料理を盛った陶器製の小鉢や小皿等の食器ｄを収容する様になしたものである。
【先行技術文献】
【特許文献】
【０００３】
【特許文献１】特開２００４−２７５２３３号公報
【考案の概要】
【考案が解決しようとする課題】
【０００４】
上記松花堂弁当箱ａでは、仕切りｂによって、その内部に配置された食器ｄ同士が配膳時に接触して欠損、破損することを防止できるものの、食器ｄが接地する弁当箱ａの内底（食器載置面）ｅに傷が付くことが多々あった。
又、仕切りｂの存在によって料理の品数も限定され、料理を演出するにも、仕切りｂによって区画された空間ｃに収容可能な大きさや形状の食器ｄしか配置できないため、これらの大きさや形状が制限された食器ｄを入れ換える以外はその演出手段がなく、例え料理が豪華であってもその豪華さや高級感を醸し出せない課題を有していた。
そこで、本考案では、食器収容部を仕切りで区画せずとも、配膳時などに食器同士が滑って欠損、破損することや、食器でその収容部の載置面が傷つくこともなく、食器の大きさや形状が比較的自由に選択可能で食器による料理の演出が多彩で比較的容易に行える様に成した食膳を提供することを目的としている。
【課題を解決するための手段】
【０００５】
上記課題に鑑み、本考案の食膳は、食器の収容空間を区画する仕切りを有しないものであって、該食膳の食器載置面上に表裏面に滑止め機能を有する滑止め緩衝マットを着脱自在に敷設したことを特徴とする。
又、複数の異色の滑止め緩衝マットを交換可能に食器載置面上に敷設したことを特徴とする。
【考案の効果】
【０００６】
要するに本考案の食膳は、これの食器載置面上に表裏面に滑止め機能を有する滑止め緩衝マットを着脱自在に敷設したので、滑止め緩衝マットの緩衝機能により、料理が盛り付けられた小鉢や小皿等の食器と食器載置面とは相互に傷付くことがない。
又、食器載置面上に滑止め緩衝マットを介して食器が載置されるので、滑止め緩衝マット上で食器が滑り動くことがなく、定位置に保持できるため、配膳時の食器同士の接触が阻止され、これらが欠損、破損することがない。
したがって、従来の様な仕切りを用いる必要がないから、食器の大きさや形状が比較的自由に選択可能であり、料理の品数も限定されず、この様に選択された複数の食器（料理）と、これらの滑止め緩衝マット上でのバリエーションに富んだレイアウトにより、料理の多彩な演出が比較的容易に行え、料理の豪華さや高級感を醸し出すことができ、会席者、宴席者などを充分に満足させることができる。
更に、滑止め緩衝マットが汚れても、食器載置面上から取り外して洗浄すれば何度でも使用できるし、劣化したり、破損しても、この滑止め緩衝マットを新品に取り替えれば、簡単に見栄えや緩衝及び防滑機能を復帰させることができる。
【０００７】
複数の異色の滑止め緩衝マットを交換可能に食器載置面上に敷設したので、盛り付ける料理に調和した色彩の滑止め緩衝マットを選択使用することにより、より一層の料理の演出をもりたてることができる等その実用的効果甚だ大である。
【図面の簡単な説明】
【０００８】
【図１】食器の配置例を示す食膳の平面図である。
【図２】同上縦断面図である。
【図３】松花堂弁当箱の食器の配置例を示す平面図である。
【考案を実施するための形態】
【０００９】
以下本考案の実施の一形態例を図面に基づいて説明する。
図１、２に示す食膳は、プラスチック製又は木製の蓋1a付きの弁当箱１であり、該弁当箱１は松花堂弁当箱の様に食器Ｄ、D1…の収容空間Ｓを区画する仕切りを有しない方形の縁高、即ち方形状で平坦な食器載置面２を設けると共に、該食器載置面２に所定高さの突壁を周設した箱型容器であり、蓋1aは弁当箱１を被冠する方形状に形成されている。
【００１０】
尚、食膳１は、蓋のない縁高（方形箱型容器）や縁の低い折敷であったり、平面視形状が多角形、円形又は扇形で縁の低い会席膳や盛器など、会席や宴席などに料理を盛り付けた食器を載せる目的で使用されるものであって、食器Ｄ、D1…の収容空間Ｓを区画する仕切りを有しない膳や弁当箱であれば、その形態は何ら限定されない。
【００１１】
そして、食器載置面２上には、滑止め緩衝マット３を着脱自在に敷設している。
滑止め緩衝マット３は、食器載置面２と同一面積の合成ゴム製やポリ塩化ビニル製の薄肉なシートからなり、表裏面に滑止め機能を有すると共に、主に厚み方向に緩衝機能を有している。
【００１２】
又、滑止め緩衝マット３は、色彩の異なるものが複数用意され、これらを交換可能に食器載置面２上に敷設する様に成している。
【００１３】
上記の様に構成された食膳（弁当箱）１にあっては、使用に際し食器載置面２上に滑止め緩衝マット３を介して料理（図示せず）が盛り付けられた食器Ｄ、D1…を載置してかかる状態で弁当箱１が配膳される。
配膳中において、滑止め緩衝マット３上の食器はその防滑機能により滑り動くことがない。
しかも、滑止め緩衝マット３の緩衝機能により、これが薄くても食器Ｄ、D1…や食器載置面２が相互に傷付くことがない。
又、滑止め緩衝マット３が汚れたり、劣化したら新品に交換したり、必要に応じて異色の滑止め緩衝マット３を交換して使用する。
【符号の説明】
【００１４】
１  食膳
２  食器載置面
３  滑止め緩衝マット
【図１】
0003174460.tif 000003
【図２】
0003174460.tif 000004
【図３】
0003174460.tif 000005
(57)【要約】      （修正有）【課題】自動車走行中でも車内でゆったりとした食事が可能で、かつ多くの用途に利用できる多機能テーブルを提供する。【解決手段】テーブル１の外形回りに枠２を設け、テーブル１にコップ、ペットボトル等を置くカップホルダー３を設け、テーブル１の裏面に鏡を取り付け、テーブル１を蓋として、その蓋を上に開けた空間を物入れとし、ケースを覆うように枕４を設ける。【選択図】図１
0003174416.tif 000002
【実用新案登録請求の範囲】
【請求項１】
平面状のテーブル１の外形回り面側に枠２を設け、前記テーブル１面の適宜隅部に円形窪み形状のカップホルダー３を設け、前記テーブル１を蓋として裏面に鏡５を設け、該蓋を開けた空間を物入れ６とし、ケース１３を覆うように枕４を設けたことを特徴とする携帯用多機能テーブル。
【請求項２】
前記枕４の素材が膝に置いたときに低反発で膝になじむ緩衝材で構成されていることを特徴とする請求項１に記載の携帯用多機能テーブル。
【考案の詳細な説明】
【技術分野】
【０００１】  本考案は、携帯用の多機能なテーブルに関する。
【背景技術】
【０００２】  自動車内における食事用のテーブルとして、前の座席の背もたれに引っ掛け、テーブルを設置するものはあるが、ベルトを締めて座っている状態では、テーブルが遠く食しずらくなっていた。また、膝の上に載せて食するテーブルはあるが、車が動いている状態ではテーブルは安定せず、テーブルを手で押さえながらの食事になっていた。
【考案が解決しようとする課題】
【０００３】  自動車走行中でも、膝の上に載せたテーブルが動かず、落ち着いて飲食することが出来、化粧台テーブルとして、書類記入用、ノートパソコン用テーブルとして、又室内、室外においても多方面で利用可能で、持ち運び出来るアイディア商品は出来ないものかと考えた。
【課題を解決するための手段】
【０００４】  平面状のテーブル１の外形回り面側に枠２を設け、前記テーブル１面の適宜隅部に円形窪み形状のカップホルダー３を設け、前記テーブル１を蓋として裏面に鏡５を設け、該蓋を開けた空間を物入れ６とし、ケース１３を覆うように枕４を設けたことを特徴とする携帯用多機能テーブル。
また、前記枕４の素材が膝に置いたときに低反発で膝になじむ緩衝材で構成されていることを特徴とする請求項１に記載の携帯用多機能テーブルとする。
【考案の効果】
【０００５】  テーブル１の回りに枠２を取り付けることにより、自動車走行中での食物の落下を防止する。テーブル１に円形窪み状のカップホルダー３を設けることによりコップ、ペットボトル等を安定して置くことができる。枕４を設け、枕４の面を膝の上に載せる事により、テーブル１が安定し、落ち着いて食事等が可能である。休憩時、又睡眠時には枕として使用できる。テーブル１裏面に大型の鏡５を取り付けた場合には、大きな鏡での化粧、身だしなみのチェックが可能になる。持ち手７を取り付ける事により、持ち運びが出来るので、鏡付化粧箱として、外出先、車内、室内どこの部屋に置いても使用可能である。
【０００６】  車内での食事、ベンチでの食事、運動会、ピクニック、キャンプ等のアウトドアグッズとしても便利である。車内、外出用のテーブル、机として膝の上では難しかった事務作業も可能になり、書類記入時、力を入れた文字を記入することが出来、ノートパソコン等もしっかり打ち込みが可能。身体的に足付テーブルでの食事がとりにくい方、布団上での食事の時、ソファーでの読書、車中、外出時のゲームのテーブルとして利用範囲は限りなく、喜ばれる考案品と考える。室内に置いて化粧箱として使用時は、枕４の面を下に室内テーブル、机の上に載せ、使用する事もできる。
【図面の簡単な説明】
【０００７】
【図１】本考案の携帯用多機能テーブルの形状を斜め上から表した図である。
【図２】本考案のテーブルを開け、斜め上から表した図である。
【図３】図１に示すＸ−Ｘ矢視断面図である。
【図４】本考案のテーブル形状をハート形とした例である。
【考案を実施するための形態】
【０００８】  本考案を実施するための形態を図１〜図４で詳細に説明する。
平面状のテーブル１の外形回りに突出して設けた枠２を設ける。本例ではテーブル１の形状を矩形の例で示している。テーブル１の適宜の隅部に、本例では右上隅にカップホルダー３を設ける。テーブル１の裏面に鏡５を設ける。鏡５に対向してケース１３を設け、鏡５とケース１３で構成される空間を物入れ６とする。ケース１３の外回りを覆うように枕４を設ける。枕４は枕素材１１の外側を布などの枕表面素材１２で覆っている。
【０００９】  テーブル１とケース１３との間に蝶番９を設け、この蝶番９によってテーブル１を蓋として物入れ６を開屏閉自在にし、更に、留め具８を設ける。又物入れ６の外側の適宜位置に持ち手７を設ける。また、取り外し可能な肩掛けベルト１０を設ける。
【００１０】  テーブル１の形状は、本例では矩形として示したが、このほかの形状、例えば、円形、六角形、ハート形などデザインされた形状を含む。
【００１１】  枕素材１１は、膝の上において使用する際は膝になじむ必要があり、低反発素材であり復元性を有する、低反発緩衝材が適切である。
【００１２】  使用例として、椅子に座るか又は座位した状態での使用を説明する。枕４の面を膝の上に載せ、物入れ内の弁当、飲料、菓子等を取り出し、テーブル１上に置きテーブル上で食す。テーブル１の回りに突設して枠２を設け、コップ、ペットボトル等のカップホルダー３を設けてあるので、自動車走行中でも飲食物が落下しずらく、落ち着いて食する事が可能になる。
【００１３】  化粧時は、枕４の面を膝の上に載せ、テーブル１の裏面の鏡を見ながら物入れ内に持参した化粧品で化粧、身だしなみのチェックができる。通常、車内では手鏡を使用しての化粧となるが、本考案では、コンパクトの小さな鏡でなく、テーブル１の裏に取り付けた鏡での化粧がどの場所においても可能になる。
【００１４】  持ち手７及び取り外し可能な肩掛けベルト１０を設けることにより、これを利用して持ち運ぶことも可能である。
本考案品に係る前記以外の材料、材質、形状、大きさは特定せず、留め具８、持ち手６の取り付け位置、形状も図に限らない。
【符号の説明】
【００１５】  １  テーブル
２  枠
３  カップホルダー
４  枕
５  鏡
６  物入れ
７  持ち手
８  留め具
９  蝶番
１０  肩掛けベルト
１１  枕素材
１２  枕表面素材
１３  ケース
【図１】
0003174416.tif 000003
【図２】
0003174416.tif 000004
【図３】
0003174416.tif 000005
【図４】
0003174416.tif 000006
(57)【要約】【課題】雨が顔面及び眼鏡に直接かからず、かつ、視界が確保できるレインコートのフードを提供する。【解決手段】透明シートを所定の形状に裁断すると共に、該透明シートに両面の粘着テープを装着し、既存のレインコートのフードの前面開口部に取付けることによってひさし状にして顔面及び眼鏡に雨が降りかかるのを防止する。【選択図】図１
0003174414.tif 000002
【実用新案登録請求の範囲】
【請求項１】
透明シートを所定の巾と長さに裁断すると共に、該透明シートの巾方向の片側に両面粘着テープを装着することにより、既存のレインコートのフードの前面開口部に、上記透明シートを固着できるように構成したことを特徴とする透明シート。
【考案の詳細な説明】
【技術分野】
【０００１】  本考案は、レインコートのフードに関するものである。
【背景技術】
【０００２】  従来のレインコートのフードは、フードを浅くかぶると雨が正面から顔や眼鏡に降りかかり、また、フードを深くかぶると視界が遮られるという問題があった。（例えば、特許文献１参照）
【先行技術文献】
【０００３】
【特許文献１】実用新案登録第３０５３６１１号  公報
【考案の概要】
【考案が解決しようという課題】
【０００４】  従来のフードは雨が正面から顔や眼鏡にかかり、不快を感じることがあり、また、雨が顔や眼鏡にかかるのを避けようとして、フードを深くかぶると視界を遮られるという問題があった。本考案はこの問題を解決するためになされたもので、既存のフードの前面開口部に透明のシートを取り付けて、ひさし状にすることにより、顔や眼鏡に雨がかからず、かつ、視界も確保できるフードを提供しようとするものである。
【課題を解決するための手段】
【０００５】  透明シートを所定の巾と長さに裁断加工すると共に、該透明シートに両面の粘着テープ（以下、両面テープという）を装着した透明シートを、一般に市販されている既存のレインコートのフードの前面開口部に沿うようにして固着し、上記フードの前面にひさしを形成することにより問題点を解決している。
【考案の効果】
【０００６】  上述したように、本考案の透明シートは既存のフードの前面開口部に取付けることにより、ひさし状になり、正面から雨が顔や眼鏡にかかるのを防止すると共に、上記透明シートを通して視界を確保することが出来る。又、危険防止にも大いに役立っている。
【図面の簡単な説明】
【０００７】
【図１】本考案の実施例を示す側面図
【図２】本考案の透明シートの正面図
【図３】本考案の実施例を示す正面図
【考案を実施するための形態】
【０００８】  透明シートを所定の巾と長さに裁断し、該透明シートの巾方向の片側に両面テープを装着する。このように構成した透明シートを、既存のレインコートのフードの前面開口部に固着する。
【実施例】
【０００９】  以下、添付図面に従って一実施例を説明する。図１において１は本考案の透明シートであり、該透明シート１は図２に示すように塩化ビニールの素材を用いたシート部２を所定の巾と長さに裁断する。さらに、上記シート部２の長手方向の端部５Ａ，５Ｂは扇状に裁断して整形する。【００１０】  また、上記シート部２の巾方向の片側３に両面テープ４を沿うようにして平行に装着する。【００１１】  このように構成した透明シート１を既存のレインコートのフード７の前面開口部８に沿うようにして両面テープ４で固着する。【００１２】  図３は上記フード７を開いて正面から見た図で、フード７の左右均等になるようにセンター位置６をフード７のセンターに合わせて透明シート１を固着する。【００１３】  また、上記実施例では透明シート１の素材として塩化ビニール（ＰＶＣ）を用いたが、透明度が高ければ他の合成樹脂シートを用いることもできる。
【符号の説明】
【００１４】  １  透明シート
２  シート部
３  巾方向の片側
４  両面の粘着テープ
５Ａ，５Ｂ  長手方向の端部
６  センター位置
７  フード
【図１】
0003174414.tif 000003
【図２】
0003174414.tif 000004
【図３】
0003174414.tif 000005
(57)【要約】      （修正有）【課題】変形しにくく、足を引掛けにくく、つまずき転倒しても怪我を軽減する杭を提供する。【解決手段】杭の頭部構造は、杭本体１とＣ型リング３で構成され、杭本体１の頂点部にＣ型リング３の内側中心部を溶接し、Ｃ型リング３の両端部を杭本体１に溶接する事で、変形しにくく、足を引掛けにくく、つまずき転倒しても怪我を軽減できる。【選択図】図２
0003174419.tif 000002
【実用新案登録請求の範囲】
【請求項１】
杭における頭部分の構造であって、棒を曲げたＣ型リング状のものの内側中心部を杭本体の頭部頂点に溶接し、且つＣ型リングの両端と杭本体を溶接することで、繰り返し使用しても変形しにくく、使用時に足を引掛けにくく、仮につまずいて転んだ場合でも怪我を軽減する事を特徴とする杭の頭部構造。
【考案の詳細な説明】
【考案の詳細な説明】
【技術分野】
【０００１】  この考案は杭の頭部構造に関する。
【背景技術】
【０００２】  従来の鉄杭では図１（ａ）に示したように、頭部分は杭本体を曲げて丸い形状にし、端を溶接されているか、図１（ｂ）のように杭本体にフックを溶接しているのが一般的である。
【考案の開示】
【考案が解決しようとする課題】
【０００３】  丸頭の杭は以前よりよく使用されているが、打撃により容易に変形し溶接箇所も割れ易い。一方杭本体にフックを溶接したタイプの杭は変形しにくい代わりに上端の外形が広がり花が咲いたような状態になり、周囲が鋭くなり作業時にも、通行人がつまずいた場合にも大変危険である。比較して丸頭の杭はこのようなエッジがなく、設置状態における危険性は低いとされているが、運悪くつま先が穴に引掛った場合は骨折等の大きな怪我につながる可能性がある。そこでこの考案では、繰り返しの使用でも変形しにくい上、設置状態では丸頭の穴に足を引掛けにくい杭を提供する事を課題とし検討を重ねた結果、本考案に至ったのである。
【課題を解決するための手段】
【０００４】  考案の頭部分では杭本体を曲げて溶接するのでは無く、杭本体の頭部分に棒を曲げて作ったＣ型リング状のものの内側中心を杭本体の頭部頂点に溶接し、且つＣ型リングの両端と杭本体を溶接する。これにより頭部頂点に打撃による力が加えられても、杭本体が力を受け止める事により、溶接部分へ加わる力が大幅に軽減され、且つ丸頭の穴の中心に杭本体が一本入る事で、丸頭の穴に足の先端部分を引掛ける事を無くす事が出来る。
【考案の効果】
【０００５】  本考案の頭部構造では、繰り返しの使用でも変形しにくく、足を穴に引掛けにくくし、つまずいた場合でも怪我を軽減出来る。
【考案を実施するための最良の形態】
【０００６】  以下、本考案の杭頭部の構造について、図面に基づき説明する。図２に示したように杭本体１に棒をＣ型リング状にしたＣ型リング３を杭本体１の頂点とＣ型リング２の内側中央部を溶接し、Ｃ型リング３の両端を杭本体１に溶接する。【０００７】  以上により変形しにくく、足を穴に引掛けることなく、転んだ場合の怪我を軽減出来る。本考案は、その要旨を逸脱しない範囲で、当事者の創意と工夫により、適宜に改良、変更又は追加しながら実施されるものである。
【図面の簡単な説明】
【図１】従来からある杭の図。（ａ）は丸頭のもの、（ｂ）は鉄杭にフックが溶接されたもの。
【図２】本考案による杭の図。
【符号の説明】  １：杭本体
２：フック
３：Ｃ型リング
【図１】
0003174419.tif 000003
【図２】
0003174419.tif 000004
(57)【要約】      （修正有）【課題】簡単にして敏速に着脱できるように、ポンチョ式で上下二部式にした雨具を提供する。【解決手段】下部雨具は、腰に巻きつける大きさのビニールシートで形成され、そのシートの上緑の両端には腰に巻きつけたビニールシートの両端を結合する面に、ファスナーをそれぞれ取り付ける。また上部緑には、ギヤザー又はひだを入れ、裾が広がるようにする。さらに、上部は、上部雨具とサンバイザーと円錐形のシートにより形成する。実際の使用時には、上部雨具は頭部からすっぽり被って上半身を覆うことの出来る大きさの円錐形状のビニールシートで形成し、頭部には前記シートの内側からサンバイザーを入れて内部で一体化させる。さらにサンバイザーを着用した際に顔にあたる部分を透明シートにする。【選択図】図４
0003174411.tif 000002
【実用新案登録請求の範囲】
【請求項１】
上半身に装着する上部雨具と、下半身に装着する下部雨具とからなる二部制ポンチョ雨具であって、前期上部雨具は、それを装着する者の頭部を含む上半身を覆う円錐形状とし、前記下部雨具は、それを装着する者の、腰にっ巻きつける巻きスカート形状としたことを特微とする二部制ポンチョ雨具。
【考案の詳細な説明】
【技術分野】
【０００１】雨具の着脱を、簡単に敏速に出来るように考案したもの。
【背景技術】
【０００２】一般雨具は着脱に際し、雨具に手足を通すことが、大変手間が掛り、特に雨の中では、靴を脱いだりして、大変不便である。
【考案の概要】
【考案が解決しようとする課題】
【０００３】  一般雨具は、ズボンを履たりする時には、靴を履いた儘では大変で又コートの雨具でも、手を両袖に入れボタンを掛けたり大変である。
そこで本考案は、素早く敏速に着脱できるポンチョ式で、上下二部式雨具を考案したものである。
【課題を解決するための手段】
【０００４】  本考案による雨具は、上半身に装着する上部雨具と、下半身に装着する下部雨具とからなる二部制ポンチョ雨具であって、前記上部雨具はそれを装着する者の頭部を含む上半身を覆う円錐形状とし、前記下部雨具はそれを装着する者の、腰に巻きつける巻きスカート形状としたことを特徴とする。
【考案の効果】
【０００５】  本考案によれば上部雨具を頭からかぶり下部雨具を腰に巻きつけるだけで、身体を覆うことが出来るので、從来の雨合羽のようにズボンを履いたり、腕を袖に通したりする必要がなくなる。さらに上部雨具は頭からすっぽり被る事になるので、両手も濡れず自転車に乗る時でも自転車ごと、雨具を被せて乗ることが出来る。
【図面の簡単な説明】
【０００６】
【図１】は、下部雨具の展開図
【図２】は、上部雨具の分解斜視図
【図３】は、上部雨具の外観斜視図
【図４】は、二部制ポンチョ雨具を着用した図
【実施例】
【０００７】この図１において、下部雨具図１は、腰に巻きつける大きさのビニールシート１で形成され、そのシートの上緑の両端には腰に巻きつけたビニールシートの両端を結合する面に、ファスナー２をそれぞれ取り付ける。また上部緑には、ギヤザー又はひだ３を入れ、裾が広がるようにする。
図２は上部雨具４とサンバイザー５と円錐形のシートの分解斜視図を示す。この図において上部雨具４は頭部からすっぽり被って上半身を覆うことの出来る大きさの円錐形状のビニールシートで形成されて頭部には、前記シートの内側からサンバイザー５を入れて内部で一体化させる。さらに図３に示すようにサンバイザー５を着用した際に顔にあたる部分６を透明シートにする。
【他の実施例】
【０００８】上記実施例では上下の雨具１、４をビニールシートで形成したが、これに代えて防水性布地で形成しても良い。さらに上記サンバイザー５に代えて野球帽のようなキャップを取り付けても良い。さらに上部雨具図３は例えば自転車のハンドルも被る大きさとしておく。そうすれば傘をささずに済み傘乗り違反もなくなる。
【使い方】
【０００９】本考案の実施例は、上述の如き構成から成るものであるから、まず二部制の下部雨具を腰にスカートのように巻き付けその両端をファスナー２で固定する。
次に二部制の上部雨具４のビニールの裾を上に捲り上げサンバイザーの５庇を持ち帽子のように被り上にあげたビニールを下におろせば着衣完了である。また脱ぐときは反対にすればよい非常に簡単で早い。
【符号の説明】
【００１０】１  ビニールシート
２  ファスナー
３  ビニールシートのギャザー
４  円錐状のビニールシート
５  サンバイザー
６  透明シート
【実施例】
【０００７】この図１において、下部雨具図１は、腰に巻きつける大きさのビニールシート１で形成され、そのシートの上緑の両端には腰に巻きつけたビニールシートの両端を結合する面に、ファスナー２をそれぞれ取り付ける。また上部緑には、ギヤザー３を入れ、裾が広がるようにする。
図２は上部雨具４とサンバイザー５と円錐形のシートの分解斜視図を示す。この図において上部雨具４は頭部からすっぽり被って上半身を覆うことの出来る大きさの円錐形状のビニールシートで形成されて頭部には、前記シートの内側からサンバイザー５を入れて内部で一体化させる。さらに図３に示すようにサンバイザー５を着用した際に顔にあたる部分６を透明シートにする。
【他の実施例】
【０００８】上記実施例では上下の雨具１、４をビニールシートで形成したが、これに代えて防水性布地で形成しても良い。さらに上記サンバイザー５に代えて野球帽のようなキャップを取り付けても良い。さらに上部雨具図３は例えば自転車のハンドルも被る大きさとしておく。そうすれば傘をささずに済み傘乗り違反もなくなる。
【使い方】
【０００９】本考案の実施例は、上述の如き構成から成るものであるから、まず二部制の下部雨具を腰にスカートのように巻き付けその両端をファスナー２で固定する。
次に二部制の上部雨具４のビニールの裾を上に捲り上げサンバイザーの５庇を持ち帽子のように被り上にあげたビニールを下におろせば着衣完了である。また脱ぐときは反対にすればよい非常に簡単で早い。
【符号の説明】
【００１０】１  ビニールシート
２  ファスナー
３  ビニールシートのギャザー
４  円錐状のビニールシート
５  サンバイザー
６  透明シート
【図１】
0003174411.tif 000003
【図２】
0003174411.tif 000004
【図３】
0003174411.tif 000005
【図４】
0003174411.tif 000006